【手続補正書】
【提出日】平成25年12月20日(2013.12.20)
【手続補正１】
【補正対象書類名】明細書
【補正対象項目名】０１４１
【補正方法】変更
【補正の内容】
【０１４１】
【表１】
2013516514.tif 000001
本願発明に関連する発明の実施形態について以下に列挙する。
[実施形態１]
式：
Ｒ４Ｒ５Ｒ６Ｓｉ−Ｇ−ＮＲ７−（ＣＯ）（ＣＯ）−｛［ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ［Ｒ３Ｎ−Ｚ−ＮＲ３（ＣＯ）（ＣＯ）−］ｑ［Ｒ８Ｎ−Ａ−ＮＲ８（ＣＯ）（ＣＯ）−］ｓ｝ｒＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
Ａは二価のフルオロカーボン含有基であり；
各Ｒ３は水素又はアルキル、あるいはＲ３は結合しているＺ及び窒素と合わせて複素環基を形成し；
各Ｒ８は水素又はアルキルであり；
Ｒ４、Ｒ５、及びＲ６はそれぞれ独立して、アルキル、アリール、又はアルコキシ基であり、但しＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｓは１以上の整数であり；
ｑは０以上の整数であり；並びに
ｒは１以上の整数である）を含む反応性化合物。
[実施形態２]
前記Ｒ１基の少なくとも５０パーセントがメチルである、実施形態１に記載の反応性化合物。
[実施形態３]
Ｙが、１〜４個の炭素原子を有するアルキレンである、実施形態１に記載の反応性化合物。
[実施形態４]
ｎが少なくとも４０である、実施形態１に記載の反応性化合物。
[実施形態５]
Ｒ４、Ｒ５、Ｒ６が同一である、実施形態１に記載の反応性化合物。
[実施形態６]
Ｒ４、Ｒ５、Ｒ６が１〜６個の炭素原子を有するアルコキシ基を含む、実施形態５に記載の反応性化合物。
[実施形態７]
Ａが−Ｂ−ＲＦ−Ｂ−タイプ（式中、各Ｂは独立して、１〜１０個の炭素原子を有するアルキレン基、若しくは１個以上の酸素原子と１〜１０個の炭素原子を含むヘテロアルキレン基を含む連結基、又はカルボニルアミノ含有基であり、並びに、
ＲＦがフルオロアルキレン基又はヘテロフルオロアルキレン基である）の基を含む、実施形態１に記載の反応性化合物。
[実施形態８]
ＲＦが、
−（ＣＦ２ＣＦ２）ａ−、
−Ｒ９−Ｏ［ＣＦ（ＣＦ３）ＣＦ２Ｏ］ｗＣＦ（ＣＦ３）−
−ＣＦ（ＣＦ３）［ＯＣＦ２ＣＦ（ＣＦ３）］ｂＯＣＦ２−Ｒ９−ＣＦ２Ｏ［ＣＦ（ＣＦ３）ＣＦ２Ｏ］ｄＣＦ（ＣＦ３）−
−ＣＦ２Ｏ−［ＣＦ２Ｏ］ｆ−［ＣＦ２ＣＦ２Ｏ］ｇ−［ＣＦ（ＣＦ３）ＣＦ２Ｏ］ｈ−ＣＦ２−
−ＣＦ２Ｏ−（ＣＦ２ＣＦ２Ｏ）ｋ−ＣＦ２−、
−ＣＦ２ＣＦ２Ｏ−（ＣＦ２ＣＦ２ＣＦ２Ｏ）ｋ−ＣＦ２ＣＦ２−、又は
−ＣＦ２ＣＦ２ＣＦ２Ｏ−（ＣＦ２ＣＦ２ＣＦ２ＣＦ２Ｏ）ｋ−ＣＦ２ＣＦ２ＣＦ２−、
（式中、ａは２〜１０の整数であり；
Ｒ９は１〜２０個の炭素原子を有するペルフルオロアルキレン基であり；並びに、
ｗ、ｂ、ｄ、ｆ、ｇ、ｈ及びｋはそれぞれ独立して、０〜３５の範囲の整数である）の基を含む、実施形態７に記載の反応性化合物。
[実施形態９]
−Ｂ−ＲＦ−Ｂ−が、次式：
−Ｂ１−Ｒ８Ｎ（ＣＯ）−Ｂ２−ＲＦ−Ｂ２−（ＣＯ）ＮＲ８−Ｂ１−
（式中、ＲＦはフルオロアルキレン基又はヘテロフルオロアルキレン基であり：
各Ｒ８は水素又はアルキルであり；
各Ｂ１は独立してアルキレン又はヘテロアルキレンであり；並びに
各Ｂ２は独立して、単結合、アルキレン、又はヘテロアルキレンである）を含む、実施形態７に記載の反応性化合物。
[実施形態１０]
次式：
Ｒ４Ｒ５Ｒ６Ｓｉ−Ｇ−ＮＲ７−（ＣＯ）（ＣＯ）−｛［ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ［Ｒ３Ｎ−Ｚ−ＮＲ３（ＣＯ）（ＣＯ）−］ｑ［Ｒ８Ｎ−Ａ−ＮＲ８（ＣＯ）（ＣＯ）−］ｓ｝ｒＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
Ａは二価のフルオロカーボン含有基であり；
各Ｒ３は水素又はアルキル、あるいはＲ３は結合しているＺ及び窒素と合わせて複素環基を形成し；
各Ｒ８は水素又はアルキルであり；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｓは１以上の整数であり；
ｑは０以上の整数であり；並びに
ｒは１以上の整数である）を有する反応性化合物を含む、反応混合物の反応生成物を含む、ポリマー。
[実施形態１１]
前記反応性化合物において、ｎが少なくとも４０である、実施形態１０に記載のポリマー。
[実施形態１２]
前記反応性化合物において、Ｒ４、Ｒ５、Ｒ６が同一である、実施形態１０に記載のポリマー。
[実施形態１３]
Ｒ４、Ｒ５、Ｒ６が１〜６個の炭素原子を有するアルコキシ基を含む、実施形態１２に記載のポリマー。
[実施形態１４]
水が、環境湿度を含む、実施形態１０に記載のポリマー。
[実施形態１５]
前記反応混合物が更に、水分硬化性触媒を含む、実施形態１０に記載のポリマー。
[実施形態１６]
前記水分硬化性触媒が、酸、無水物、有機スズ化合物、三級アミン、又はこれらの組み合わせを含む、実施形態１５に記載のポリマー。
[実施形態１７]
前記ポリマーが剥離材料を含む、実施形態１０に記載のポリマー。
[実施形態１８]
粘着付与樹脂を更に含んで感圧性接着剤を形成する、実施形態１０に記載のポリマー。
[実施形態１９]
架橋剤を更に含む、実施形態１０に記載のポリマー。
[実施形態２０]
前記架橋剤が更に、
多官能性アルコキシシラン、シリカナノ粒子、又は表面上に複数のヒドロキシル基を含むナノ粒子を含む、実施形態１９に記載のポリマー。
[実施形態２１]
基材と、
前記基材上のポリマー層と、を含む物品であって、前記ポリマーが、
次式：
Ｒ４Ｒ５Ｒ６Ｓｉ−Ｇ−ＮＲ７−（ＣＯ）（ＣＯ）−｛［ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ［Ｒ３Ｎ−Ｚ−ＮＲ３（ＣＯ）（ＣＯ）−］ｑ［Ｒ８Ｎ−Ａ−ＮＲ８（ＣＯ）（ＣＯ）−］ｓ｝ｒＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
Ａは二価のフルオロカーボン基であり、
各Ｒ３は水素又はアルキル、あるいはＲ３は結合しているＺ及び窒素と合わせて複素環基を形成し；
各Ｒ８は水素又はアルキルであり；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｓは１以上の整数であり；
ｑは０以上の整数であり；並びに
ｒは１以上の整数である）を有する反応性化合物と水とを含む、反応性混合物の反応生成物を含む、物品。
[実施形態２２]
前記ポリマーが、剥離材料を含む、実施形態２１に記載の物品。
[実施形態２３]
前記基材が、フィルム、プレート、光学デバイス、又は鋭利な刃を備える切断器具の表面を含む、実施形態２２に記載の物品。
[実施形態２４]
前記切断器具が、はさみ、ナイフ、機械ブレード、又はのこぎりを含む、実施形態２３に記載の物品。
[実施形態２５]
前記ポリマー層が粘着付与樹脂を更に含む、実施形態２１に記載の物品。
[実施形態２６]
前記基材が、フィルム、プレート、テープ裏材、又は剥離ライナーを含む、実施形態２５に記載の物品。
【手続補正２】
【補正対象書類名】特許請求の範囲
【補正対象項目名】全文
【補正方法】変更
【補正の内容】
【特許請求の範囲】
【請求項１】
式：
Ｒ４Ｒ５Ｒ６Ｓｉ−Ｇ−ＮＲ７−（ＣＯ）（ＣＯ）−｛［ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ［Ｒ３Ｎ−Ｚ−ＮＲ３（ＣＯ）（ＣＯ）−］ｑ［Ｒ８Ｎ−Ａ−ＮＲ８（ＣＯ）（ＣＯ）−］ｓ｝ｒＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
Ａは二価のフルオロカーボン含有基であり；
各Ｒ３は水素又はアルキル、あるいはＲ３は結合しているＺ及び窒素と合わせて複素環基を形成し；
各Ｒ８は水素又はアルキルであり；
Ｒ４、Ｒ５、及びＲ６はそれぞれ独立して、アルキル、アリール、又はアルコキシ基であり、但しＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｓは１以上の整数であり；
ｑは０以上の整数であり；並びに
ｒは１以上の整数である）を含む反応性化合物。
【請求項２】
次式：
Ｒ４Ｒ５Ｒ６Ｓｉ−Ｇ−ＮＲ７−（ＣＯ）（ＣＯ）−｛［ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ［Ｒ３Ｎ−Ｚ−ＮＲ３（ＣＯ）（ＣＯ）−］ｑ［Ｒ８Ｎ−Ａ−ＮＲ８（ＣＯ）（ＣＯ）−］ｓ｝ｒＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
Ａは二価のフルオロカーボン含有基であり；
各Ｒ３は水素又はアルキル、あるいはＲ３は結合しているＺ及び窒素と合わせて複素環基を形成し；
各Ｒ８は水素又はアルキルであり；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｓは１以上の整数であり；
ｑは０以上の整数であり；並びに
ｒは１以上の整数である）を有する反応性化合物を含む、反応混合物の反応生成物を含む、ポリマー。
【請求項３】
基材と、
前記基材上のポリマー層と、を含む物品であって、前記ポリマーが、
次式：
Ｒ４Ｒ５Ｒ６Ｓｉ−Ｇ−ＮＲ７−（ＣＯ）（ＣＯ）−｛［ＮＨ−Ｙ−ＳｉＲ１２−（ＯＳｉＲ１２）ｎ−ＯＳｉＲ１２−Ｙ−ＮＨ−（ＣＯ）（ＣＯ）−］ｐ［Ｒ３Ｎ−Ｚ−ＮＲ３（ＣＯ）（ＣＯ）−］ｑ［Ｒ８Ｎ−Ａ−ＮＲ８（ＣＯ）（ＣＯ）−］ｓ｝ｒＮＲ７−Ｇ−ＳｉＲ４Ｒ５Ｒ６
（式中、各Ｒ１は、独立して、アルキル、ハロアルキル、アラルキル、アルケニル、アリール、又は、アルキル、アルコキシ、若しくはハロで置換されたアリールであり；
各Ｙは、独立して、アルキレン、アラルキレン、又はこれらの組み合わせであり；
Ｇは１〜１０個の炭素原子を有するアルキレン又はアラルキレン基であり；
Ｚはアルキレン、アラルキレン、又はヘテロアルキレン基であり；
Ａは二価のフルオロカーボン基であり、
各Ｒ３は水素又はアルキル、あるいはＲ３は結合しているＺ及び窒素と合わせて複素環基を形成し；
各Ｒ８は水素又はアルキルであり；
Ｒ４、Ｒ５、及びＲ６はそれぞれ独立して、アルキル、アリール、又はアルコキシ基であり、ただしＲ４、Ｒ５、及びＲ６のうち少なくとも１つがアルコキシ基であり；
各Ｒ７は独立して水素、アルキル、アリール基、又はヘテロアルキル基であり；
ｎは、独立して、０〜１５００の整数であり；
ｐは１以上の整数であり；
ｓは１以上の整数であり；
ｑは０以上の整数であり；並びに
ｒは１以上の整数である）を有する反応性化合物と水とを含む、反応性混合物の反応生成物を含む、物品。